Podtech/llm-jp-corpus-v4-ja_patent huggingface dataset:
(57)【要約】　　　（修正有）【課題】　伸び縮みする竿のオス、メスの先に小型電動チエンソーを設け、本体バッテリーと、予備バッテリーを電気コードコネクターにつなぎ、使用時間を長くして効率よく、軽くて安全に、高い木の枝等を切る機械を提供する。【解決手段】　伸び縮みする竿のオス１、メス２の先に小型電動チエンソー１４を設け、自由に高さの調整がワンタッチででき、小型電動チエンソー１４がどの高さでも回転するよう電気コードを竿に埋め込み、埋込コード７を通って、小型電動チエンソー１４を電源スイッチ６で操作し、ソーチエン５を回転させて木に登らず、足場を利用せず、女性や高齢者でも、軽くて安全に、効率よく、高い木の枝等を切れるのが特徴である。【選択図】　図１
0003100527.tif 000002
【実用新案登録請求の範囲】
【請求項１】
　伸び縮みする竿のオス（１）の先に小型電動チエンソー（１４）を設け、本体バッテリー（３）と、予備バッテリー（４）の間を、本体の電気コードコネクター（１２）と、予備の電気コードコネクター（１３）でつなぎ、伸び縮みする竿のメス（２）の間を、埋込コード（７）を通って小型電動チエンソー（１４）を電源スイッチ（６）で操作し、ソーチエン（５）を回転させて高い木の枝等を切り落とすので、木に登ったり、足場も使用せず、高い木の枝等を切り落とす機械である。
【考案の詳細な説明】
【技術分野】
【０００１】　高い木の枝等を切り落とす時、木に登らず、また、足場も使用せず竿の伸び縮みを利用して、竿の先に小型電動チエンソー（１４）を設けて、本体バッテリー（３）を竿の根元に、使用する人の背中に予備バッテリー（４）を背負って、電気の力で切るので騒音なく、地上からの作業なので、足場も良く、軽くて安全で、能率も良く、疲労度も少なく、高い木の枝等を切り落とす機械です。
【背景技術】
【０００２】　従来は、伸び縮みする竿の先に、手鋸を取り付けた高い木の枝等を切る手動式で、切る竿全体を上下に動かし、先に取り付けた鋸の前後運動で切るので、疲労が激しく、長時間使用できないため、能率がわるく、大変苦労した道具であった。
【考案の開示】
【考案が解決しようとする課題】
【０００３】　これは、次のような欠点があった。
（イ）伸び縮みする竿の先に手鋸を取り付けてあるので、竿全体の上下運動で切るので疲労が激しく、長時間出来ないため能率もわるく、大変苦労した作業であった。
（ロ）高い木の枝等を切るとき、鋸の前後運動できるので、枝が動いて、切るのに大変苦労した。
（ハ）高い木の枝等を切るため、足場や、木に登って切るので、不安全で能率がわるく、道具も多くなるので、大変な作業であった。
　そのために本考案は、この欠点を除くためになされたものである。
【課題を解決するための手段】
【０００４】　伸び縮みする竿のオス（１）に小型電動チエンソー（１４）を取り付け、本体バッテリー（３）と、予備バッテリー（４）とで、長時間使用できるよう予備バッテリー（４）を背負い、本体の電気コードコネクター（１２）と、予備の電気コードコネクター（１３）を継ぎ、電源スイッチ（６）の操作で、小型電動チエンソー（１４）が働き、ソーチエン（５）が回転して簡単に高い木の枝等が切れる機械で、チエンソーバー（８）にかかる大・小の木の枝（９）でも、枝止め（１０）があるため動くことなく枝等を切ることができ、疲労度は少なく、能率もよく、地上から切ることができるので、軽くて安全で、女性でも、高齢者でも使用できる高い木の枝等を切る機械である。
【考案の効果】
【０００５】　本考案は、以上のような構造でこれを使用するときは、人の背に予備バッテリー（４）を背負い、伸び縮みする竿のオス（１）とメス（２）をしっかり両手でにぎり、本体の電気コードコネクター（１２）と、予備バッテリー（４）からの予備の電気コードコネクター（１３）をつなぎ、その後、高い木の枝等を切る木に高さを合わせ、枝止め（１０）に押し当てて、電源スイッチ（６）を入れることにより、小型電動チエンソー（１４）が働き、ソーチエン（５）が回転して、枝等が切れる構造の機械である。
【考案を実施するための最良の形態】
【０００６】（イ）伸び縮みする竿のオス（１）の先に小型電動チエンソー（１４）を設け、伸び縮みする竿のメス（２）の片方のはしに本体バッテリー（３）を設ける。
（ロ）機械を使用する人の背に、背負金具（１５）に取り付けた予備バッテリー（４）を背負バンド（１６）で背負い、長時間使用できるようにした。
（ハ）本体バッテリー（３）と、予備バッテリー（４）を本体の電気コードコネクター（１２）と、予備の電気コードコネクター（１３）をつなぎ、バッテリー容量を増やして使用時間を長くするのである。
【実施例】
【０００７】　高い木の枝等を切るのに、伸び縮みする竿のオス（１）、メス（２）の先に設けた小型電動チエンソー（１４）を、本体バッテリー（３）を動力とした機械であるため、軽くて、騒音もなく、また、排気ガスもでないし、足場等もいらず高い木の枝等が切れるので、山林でのスギやヒノキの枝等を切る作業も、安全で、楽で、能率もよい。
【産業上の利用可能性】
【０００８】　木の剪定や、スギ、ヒノキと、いろいろな木の枝打ち等の作業に使用でき、高さも自由にワンタッチで調整ができるので、安全で、効率よく、女性でも、高齢者でも、使用できる機械である。
【図面の簡単な説明】
【０００９】
【図１】　本考案の本体の構造を示した平面図である。
【図２】　本考案の本体の構造を右側から示した側面図である。
【図３】　本考案の本体の構造を左側から示した側面図である。
【図４】　本考案の予備のバッテリーを示した平面図である。
【図５】　本考案の予備のバッテリーを示した正面図である。
【図６】　本考案の予備のバッテリーを示した側面図である。
【符号の説明】
【０００１０】　１　伸び縮みする竿のオス　２　伸び縮みする竿のメス　３　本体バッテリー　４　予備バッテリー　５　ソーチエン　６　電源スイッチ　７　埋込コード　８　チエンソーバー　９　大・小の木の枝　１０　枝止め　１１　コード　１２　電気コードコネクター　１３　電気コードコネクター　１４　小型電動チエンソー　１５　背負金具　１６　背負バンド
【図１】
0003100527.tif 000003
【図２】
0003100527.tif 000004
【図３】
0003100527.tif 000005
【図４】
0003100527.tif 000006
【図５】
0003100527.tif 000007
【図６】
0003100527.tif 000008
(57)【要約】
【課題】　人の膝痛及び腰痛を和らげる並びに猫背を徐々に矯正する動作を、無理の無い姿勢で座るだけで実施しようとする椅子を提供する。
【解決手段】　本考案の自然体療法脊椎矯正椅子は、背面板１と座面板３並びにこれらを充分な強度で締結する左右の側面板２を基礎構成とする。人が座るだけで膝痛及び腰痛を和らげる効果並びに猫背を徐々に矯正する効果を得るために、座る人の太腿を支える傾斜板４を有し、脊椎を矯正すること及び内蔵の動きを活発にするために、腰骨を支えるクッション部５が付帯で構成される。
【選択図】　図４
0003100529.tif 000002
【実用新案登録請求の範囲】
【請求項１】
　座る人の太腿を支える傾斜板４と、背面板１に付帯して、座る人の腰骨を支えるクッション部５で構成される自然体療法脊椎矯正椅子。
【請求項２】
　座面板３に付帯する座骨受けクッション６には座る人の尻穴の下になる部分に窪み８を有し、座面板３と太腿を支える傾斜板４には空間部９を有する、請求項１の自然体療法脊椎矯正椅子。
【考案の詳細な説明】
【考案の詳細な説明】
【産業上の利用分野】
【０００１】本考案は、人の膝痛及び腰痛を和らげ、並びに猫背を徐々に矯正する動作を、無理の無い姿勢で座るだけで実施する椅子に関する。
【背景技術】
【０００２】従来は高額な機械により無理やり矯正したり、運動による矯正であり、高齢者には困難であり危険も伴うため、実施されにくかった。
【考案が解決しようとする課題】
【０００３】従来の方法には、次のような欠点があった。
（イ）　機械により矯正する作業は、個人差に対応しきれない無理がある。
（ロ）　機械により矯正する装置は、操作が面倒で、重量物で、高額品である。
（ハ）　運動による矯正は面倒になり、危険も伴うため持続されにくい。
【課題を解決するための手段】
【０００４】上記に関し、次の器具を考案した。
（イ）　背面板１と座面板３並びにこれらを充分な強度で締結する左右の側面板２を、基礎構成とする。
（ロ）　人が座るだけで膝痛及び腰痛を和らげる効果並びに猫背を徐々に矯正する効果を得るために、座る人の太腿を支える傾斜板４が水平に対して８０度から４５度に傾斜し、脊椎を矯正すること及び内蔵の動きを活発にするために、腰骨を支えるクッション部５が付帯で構成される。
（ハ）　座骨受けクッション６は座る人の尻穴の下になる部分に体内のガスを出易くするための窪み８を有し、座面板３と太腿を支える傾斜板４の間には座ることにより畳み込まれた足の障害物が無い様に空間部９を有し、左右の側面板には、より楽に座れる様に肘掛７が付帯する自然体療法脊椎矯正椅子。
【０００５】上記の着眼点に鑑み、本考案の請求項１に係る、座る人の太腿を支える傾斜板４と、背面板１に付帯して、腰骨を支えるクッション部５で構成される自然体療法脊椎矯正椅子は、背面板１と座面板３並びにこれらを充分な強度で締結する左右の側面板２を、基礎構成として成ることを特徴とし、さらに請求項２に係る座面板３に付帯する座骨受けクッション６には座る人の尻穴の下になる部分に窪み８を有し、座面板３と太腿を支える傾斜板４には空間部９を有する点を特徴とするものである。
【考案を実施するための最良の形態】
【０００６】以下、図面を参照しながら説明する。【０００７】図１と図２並びに図３に示すとおり、実施例に係る背面板１と座面板３並びにこれらを充分な強度で締結する左右の側面板２を基礎構成とする。人が座るだけで膝痛及び腰痛を和らげる効果並びに猫背を徐々に矯正する効果を得るために、座る人の太腿を支える傾斜板４が水平に対して３０度から４５度に傾斜し、脊椎を矯正すること及び内蔵の動きを活発にするために、腰骨を支えるクッション部５が付帯で構成される。座骨受けクッション６には、座る人の尻穴の下になる部分に体内のガスを出易くするための窪み８を有し、座面板３と太腿を支える傾斜板４の間には座ることにより畳み込まれた足の障害物が無い様に空間部９を有し、左右の側面板には、より楽に座れる様に肘掛７が付帯する自然体療法脊椎矯正椅子。図４に座椅子としての使用状態を示すが、座面板３の下に脚部を設けて、洋風椅子にしても同様の効果が得られる。
【考案の効果】
【０００８】本考案は、座る人の太腿を支える傾斜板４により、座る人の膝への負担を軽減すると共に体重が腰骨を支えるクッション部５に係るため、通常の生活で猫背状態になりがちな姿勢を、自然に脊椎を反らせることができる。
無理なく猫背を矯正でき腰痛を軽減する効果と共に、肺や内蔵の動きが活発になり、体内の不要なガスが出るため健康回復の効果もある。日常の椅子として楽に使用できる様に座骨受けクッション６には窪み８を有し、座面板３と太腿を支える傾斜板４の間には、座ることで畳み込まれた足の障害物が無い様に空間部９を有し、左右の側面板には、より楽に座れる様に肘掛７が付帯する。図４に座椅子としての使用状態を示すが、座面板３の下に脚部を設けて、洋風椅子にしても同様の効果が得られる。
【図面の簡単な説明】
【図１】　本考案の平面図である。
【図２】　本考案の側面図である。
【図３】　本考案の正面図である。
【図４】　本考案の使用状態及び断面図である。
【符号の説明】
　１　背面板
　２　左右の側面板
　３　座面板
　４　傾斜板
　５　腰骨を支えるクッション
　６　座骨受けクッション
　７　肘掛
　８　窪み
　９　空間部
【図１】
0003100529.tif 000003
【図２】
0003100529.tif 000004
【図３】
0003100529.tif 000005
【図４】
0003100529.tif 000006
(57)【要約】
　［課題］　眼鏡レンズを通しての明確な視野を阻害する上方や側方からの入射光を遮断でき，不要な場合は，容易に脱着できる．
　［解決手段］　眼鏡使用者に苦痛を与えないように，布，紙，ゴムやプラスチックなどの軽い素材を眼鏡の大きさに応じた略長方形に整え，略中央部や両端部に凹状の係止具を備え，眼鏡フレームのブリッジ，縁やつるに軽く係止める．
【選択図】　図１
0003100523.tif 000002
【実用新案登録請求の範囲】
【請求項１】
　略長方形の板状であり，片面の略中央部の単数または複数の係止具とから構成される遮光フード．
【請求項２】
　略長方形の板状であり，片面の略中央部，及び略両端部の複数の係止具とから構成される遮光フード．
【考案の詳細な説明】
【考案の詳細な説明】
　　［考案の属する技術分野］
【０００１】　本考案は，眼鏡フレームに取付ける遮光フードに関するものである．
　　［従来の技術］
【０００２】　従来，風防めがねや水中めがねのように，眼鏡フレームと目の周囲の顔面との間にフードを有する物やサングラスのように，強い光から目を防護する物が知られている．
　　［考案が解決しようとする課題］
【０００３】　従来の技術で述べたもののうち前者においては，フードの目的が，異物が目に入るのを防ぐためのものであり，明確な視野を阻害する不要な入射光を遮断する効果は小さく，通常の生活環境の中では，長時間の使用には適さない問題点を有していた．
【０００４】　後者においては，強い光を弱める効果は認められるが，不要な入射光を遮断する効果は小さく，光が強くない屋外，屋内ではその使用が逆効果になる問題点を有していた．
【０００５】　また，両者共に近視，遠視，乱視および老眼用などの視度調整眼鏡は，かなり高価になる問題点を有していた．
【０００６】　本考案は，従来の技術の有するこのような問題点に鑑みてなされたものであり，その目的とするところは，明確な視野を阻害する不要な入射光を遮断するために，専用の眼鏡を必要とせず，使用中の眼鏡に簡単に着脱できる遮光フードを提供するものである．
　　［課題を解決するための手段］
【０００７】　上記目的を達成するために，本考案における遮光フードは，略長方形の板状であり，眼鏡のフレーム，ブリッジやつるの一部に係止するために，片面（底面）の略中央部あるいは長辺の略両端部に単数または複数の係止具から構成されるものである．
　　［考案の実施の形態］
【０００８】　考案の実施の形態について図面を参照して説明する．
　図１〜図６において，フード１は，布，ゴム，プラスチックや紙で板状に形成されている．さらに詳しくは，顔面側になる内辺は，顔面との隙間から不要な入射光ができるだけ入らぬように略円弧の形である．外辺は，直線あるいは略円弧の形である．このフードを眼鏡に簡単に着脱させるために，さまざまな係止具が考えられるが，その１例が図３，４，５，６の断面が凹状の３係止具をフードの略中央部に設けることにより，眼鏡のブリッジに容易に係止でき，上方からの入射光を遮断する．フードが不要の場合には，フードを上方に引き上げれば，簡単に脱着出来る．
　　［考案の効果］
【０００９】本考案は，上述のとおり構成されているので，次に記載する効果を奏する．
【００１０】請求項１の眼鏡の上辺だけのフードは，明確な視野を阻害する最大の要因である眼鏡の上方からの不要な入射光を遮断することができる．
屋外に於いては，上方の空からの不要な入射光を遮断し，屋内に於いては，上方のライトからの不要な入射光を遮断する．
【００１１】請求項２の図７〜図１１の眼鏡の側方まで覆うフードは，上方からだけでなく側方からの入射光をも遮断することができるので，より明確な視野を得ることが出来る．
【００１２】フードは軽く，柔らかい布，ゴム，紙やプラスチックで構成されているので，眼鏡に取り付けても，さほど重量を感ずる事なく長時間の使用が可能である．
【００１３】専用の眼鏡を必要とせず，使用中の眼鏡がそのまま使えるため，視度調節の必要も無く，明確な視野が確保できるため，目の疲れ，精神的な苦痛が軽減される．
【００１４】視力障害のない正常者にとっても，レンズの無い眼鏡フレームに本考案の遮光フードを取り付けて使用することにより，より明確な視野が確保できる．
【図面の簡単な説明】
【図１】請求項１のフードを眼鏡フレームに取り付けた斜視図である．
【図２】請求項１の平面図である．
【図３】請求項１の正面図である．
【図４】請求項１の底面図である．
【図５】請求項１の右側面図である．
【図６】請求項１の左側面図である．
【図７】請求項２の平面図である．
【図８】請求項２の正面図である．
【図９】請求項２の底面図である．
【図１０】請求項２の右側面図である．
【図１１】請求項２の左側面図である．
【符号の説明】
　　１　フード
　　２　眼鏡フレーム
　　３　係止具
　　４　フード
　　５，６　係止具
【図１】
0003100523.tif 000003
【図２】
0003100523.tif 000004
【図３】
0003100523.tif 000005
【図４】
0003100523.tif 000006
【図５】
0003100523.tif 000007
【図６】
0003100523.tif 000008
【図７】
0003100523.tif 000009
【図８】
0003100523.tif 000010
【図９】
0003100523.tif 000011
【図１０】
0003100523.tif 000012
【図１１】
0003100523.tif 000013
(57)【要約】　　　（修正有）【解決手段】　紙芯の先端に、脱脂綿又はガーゼを巻きつけた綿棒歯ブラシは、その脱脂綿又はガーゼを巻きつけた先端で歯を摩擦し、歯垢を取り除き口腔内を清潔にする。【効果】従来の歯磨きの方法と異なり、寝たきりの人々、意識の無い病人にも、歯ブラシ、歯磨き粉、特に水を使用する必要がないため、手軽に安全に歯磨きを行うものである。また綿棒歯ブラシは、脱脂綿あるいはガーゼを使用しているので、歯肉のマッサージに適し歯の健康に役立つ。【選択図】　図２
0003100521.tif 000002
【実用新案登録請求の範囲】
【請求項１】
紙芯の先端に、脱脂綿またはガーゼを巻きつけてなることを特徴とする綿棒歯ブラシ。
【請求項２】
先端に、人体に無害な水溶液を添加してなることを特徴とする請求項１記載の綿棒歯ブラシ。
【考案の詳細な説明】
【考案の詳細な説明】
【技術分野】
【０００１】　本考案は、歯磨きを何時でも何処でも水を使用することなく可能にするものである。
【背景技術】
【０００２】　従来の歯磨きの仕方は、歯ブラシに歯磨き粉をつけて磨き、その後で必ず水ですすぐことが必要とされた。
【考案が解決しょうとする課題】
【０００３】　紙芯の先端に、脱脂綿またはガーゼを巻きつけてなることを特徴とする綿棒歯ブラシは、寝たきりの病人や体の不自由な人々又手術後の患者さんたちの歯磨きを可能にするものである。今日こうした人々の歯磨きには、看護士または家族が指にガーゼを巻き、その指で歯を磨いているという現状である。しかしこの方法は、病人、看護士双方にとって清潔の面から問題がある。そこで、使い捨ての綿棒歯ハブラシを考案した。この綿棒歯ブラシを使用すれば、脱脂綿またはガーゼ部分と歯との摩擦によって歯の汚れを除去でき、その上水ですすぐ必要もなく口腔内を清潔にするものである。さらに口内が乾燥しがちな人のために、人体に無害な水溶液を、添加してなることを特徴とする綿棒歯ブラシも考案した。
【課題を解決するための手段】
【０００４】　　紙芯の先端に、脱脂綿またはガーゼを巻きつけてなることを特徴とする綿棒歯ブラシは、先端を歯磨きに適応した形に構成したものである。脱脂綿またはガーゼを巻きつけた部分で歯の表面を摩擦することにより、歯垢を取り除き、従来の歯ブラシと同じ働きを行うものである。さらに歯磨きの後水ですすぐ必要がなく、寝たきりの人や体の不自由な人の口腔内の清潔を簡単におこなえるものである。脱脂綿またはガーゼを巻いた部分が乾燥したものと、水溶液を添加したものを必要としたのは、病人の場合、口内の乾いた人がいて摩擦による痛みを感じることがあるからである。脱脂綿またはガーゼの部分を乾燥させたもの、水溶液を添加したもの、それぞれの用途によって使用する。脱脂綿またはガーゼの部分に水溶液を添加した綿棒歯ブラシは、１本１本をビニールまたは銀箔の袋で清潔に包装し、湿気を保存するものである。
【考案を実施するための最良の形態】
【０００５】　　紙芯の先端に、脱脂綿またはガーゼを巻きつけてなることを特徴とする綿棒歯ブラシは、脱脂綿またはガーゼを巻きつけた部分を、歯磨きに適した形態としたものである。脱脂綿またはガーゼを巻いた部分で、歯を摩擦することで歯垢を除き、口腔内を清潔にするものである。この方法は、歯を磨いた後、水ですすぐ必要がないので、寝たっきりの病人・老人の口腔内の清潔を楽に行える。例えば、厚みのある平らな部分と棒からなる紙芯の平らな部分に、脱脂綿またはガーゼを巻きつけるという構造である。しかし形・サイズは、限定するものではない。また、口腔内の乾いた病人のために、清潔で人体に無害な水溶液を添加したのも必要である。それぞれの必要に応じて使い分けを可能にした。水溶液は蒸留水、または甘い香りを添加したもの等、人体に無害であれば限定しない。寝たっきりの人々や従来の歯磨きが困難な人々に、容易に口腔内を清潔にでき、同時に歯肉のマッサージも可能で歯の健康を保ち、快適な毎日を送っていただくのが、本考案の目的である。
【考案の効果】
【０００６】　紙芯の先端に、脱脂綿またはガーゼを巻きつけてなることを特徴とする綿棒歯ブラシは、脱脂綿またはガーゼを巻きつけた部分で、歯を摩擦することによって、口腔内を清潔に保つものである。従来の歯磨と異なり水を必要としないため、寝たきりの老人・病人の口腔内を清潔にするのに有効である。同時に歯肉のマッサージにも適しているので、歯の健康を保ち、歯周病の予防にも有効である。
【図面の簡単な説明】
【図１】　綿棒歯ブラシの土台になる紙芯の平面図
【図２】　紙芯の先端部分に、脱脂綿またはガーゼを巻きつけた綿棒歯ブラシの斜視図
【符号の説明】
　　　　　１　紙芯の先端部
　　　　　２　紙芯棒
　　　　　３　脱脂綿またはガーゼを巻いた部分
【図１】
0003100521.tif 000003
【図２】
0003100521.tif 000004
(57)【要約】
【要約書】
【課題】　搬送車のキャスター用ホイールを、タイヤの幅が使用目的によって多様化しつつあるのに対応して　ホイールの在庫管理を容易とし生産性を高めることが出来るようにし、ホイールの装着が容易に行なえ車輪としてその機能を十分に発揮できるようにする。
【解決手段】　ボス部２とフランジ部３とからなりボス部２中央に軸穴５を、又フランジ部３側のボス部２にベアリング用の挿設穴７を、更に軸穴５と平行にボス部２の数箇所に締結穴９をそれぞれ穿設してなるホイール１に於いて、挿入穴７と反対側のボス部２端面に環状の凹溝８を穿設し、凹溝８に嵌合するタイヤ幅に対応させたリング１０との組合せとしたものである。
【選択図】　　　　図１
0003100530.tif 000002
【実用新案登録請求の範囲】
【請求項１】
　ボス部とフランジ部とからなりボス部中央に軸穴を、又フランジ部側のボス部にベアリング用の挿設穴を、更に軸穴と平行にボス部の数箇所に諦結穴をそれぞれ穿設してなるホイールに於いて、挿入穴と反対側のボス部端面に環状の凹溝を穿設し、且つ凹溝に嵌合するタイヤ幅に対応させたリングとの組合せとしたことを特徴とするキャスター用ホイール。
【考案の詳細な説明】
【技術分野】
【０００１】　本考案は商品や製品を載置して搬送する搬送車のキャスター用ホイールに関するものである。
【背景技術】
【０００２】　従来の搬送車のキャスター用タイヤのホイールは、プラスチックの材質を用いたものが主流で、二個を一組としそのボス部を向かい合わせフランジ部にてタイヤのサイドを挟持し、ベアリングを組込んだボス部を締結して車輪としていた。
【考案の開示】
【考案が解決しようとする課題】
【０００３】　解決しようとする問題点として、このように搬送車のキャスター用タイヤに使用しているホイールでは、タイヤの幅が使用目的によって多様化しつつあるため一種類では間に合わず、タイヤ幅に合ったホイールをそれぞれ準備しなくてはならず、多種類のホイールのため在庫管理が複雑となると共に、生産性も悪くなるなど搬送車のキャスター用ホイールとして非常に不都合を感じていた。
【課題を解決するための手段】
【０００４】　ボス部とフランジ部とからなりボス部中央に軸穴を、又フランジ部側のボス部にベアリング用の挿設穴を、更に軸穴と平行にボス部の数箇所に締結穴をそれぞれ穿設してなるホイールに於いて、挿入穴と反対側のボス部端面に環状の凹溝を穿設し、且つ凹溝に嵌合するタイヤ幅に対応させたリングとの組合せとしたものである。【０００５】　このホイールとリングの組合わせたものを用いるには、リングをタイヤ幅に合わせて選び、対向するボス部の凹溝に嵌合しボス部間に隙間を持たせてホイール二個を組合せ、フランジ部にてタイヤを挟持し締結穴に締結具を挿入して締結し車輪として使用する。
【考案の効果】
【０００６】　このようにリングを組合わせて用いると、同じホイールを利用してタイヤ幅に合わせてリングを使用しない場合からリングを用いてリングの交換だけの対応で車輪として組立ることが出来るため、在庫管理も容易となり生産性も向上し非常に経済的となる。
【考案を実施するための最良の形態】
【０００７】　ボス部とフランジ部とからなりボス部中央に軸穴を、又フランジ部側のボス部にベアリング用の挿設穴を、更に軸穴と平行にボス部の数箇所に締結穴をそれぞれ穿設してなるホイールに於いて、挿入穴と反対側のボス部端面に環状の凹溝を穿設し、且つ凹溝に嵌合するタイヤ幅に対応させたリングとの組合せとしたものである。
【実施例】
【０００８】　以下本考案の一実施例を図面について説明する。
　図中１はボス部２とフランジ部３とからなりプラスチックのホイールであって、ボス部２中央に車軸４用の軸穴５を穿設し、フランジ部３側のボス部２端面にベアリング６挿入用の挿入穴７を穿設すると共に、フランジ部３と反対側のボス部２端面に環状の凹溝８を穿設し、締結用の締結穴９を軸穴５と平行で凹溝８の外側のボス部２の四箇所に穿設している。
　１０は長さをタイヤ１１幅に合わせて決められたリングであって、凹溝８に嵌合可能としている。【０００９】　使用に当たっては、タイヤ１１幅に合わせてリング１０を選び、ホイール１二個の対向するボス部２の凹溝８に嵌合しボス部２間に隙間を持たせてホイール１二個を組合せ、フランジ部３にてタイヤ１１を挟持し、締結穴９に締結具１２を挿入して締結し車輪として使用する。
　この場合締結具１２にて強く締結してもリング１０によってタイヤ１１を必要以上に締め付けることがなく、最上の状態で常にタイヤ１１を組み合わせることが出来る。
【図面の簡単な説明】
【００１０】
【図１】実施例の正面図
【図２】実施例の一部を破断した右側面図
【図３】実施例リングの一部を破断した正面図
【図４】実施例の使用状態図
【符号の説明】
【００１１】　１　ホイール
　２　ボス部
　３　フランジ部
　５　軸穴
　７　挿入穴
　８　凹溝
　９　締結穴
１０　リング
１１　タイヤ
１２　締結具
【図１】
0003100530.tif 000003
【図２】
0003100530.tif 000004
【図３】
0003100530.tif 000005
【図４】
0003100530.tif 000006
(57)【要約】
【課題】開閉自在になるよう２枚の角盆型取付板を繋ぎ合わせ、その両方の板に天幕を固定収納し、葬祭会場での簡易迅速な天幕飾りの設置並びに撤去を行う。
【解決手段】１の天幕取付用の角盆型取付板２枚に２の蝶番を両方の板の一片に取り付け、板の表面に５の天幕を固定することによって、開閉自在で移動簡易になった装飾用天幕を、左右に開き、板の縦方向に取り付けた４のコ型金具に３の閂を差し込んで固定し、６のポールで１の角盆型天幕板を支えることによって簡易な設置と同時に撤去移動が十分行える。
また６のポールの上部にある６ａのフックに７の蛍光灯を吊り下げることで、会場の照度調節ができる。
【選択図】　図１
0003100596.tif 000002
【実用新案登録請求の範囲】
【請求項１】
開閉可能になるよう蝶番で繋いだ２枚の角盆型取付板に、多種の葬祭用天幕（以下天幕という。）を固定し、保管や移動の際は板を閉じ、また使用会場では板を開いて四隅をナイスポール（長さ１２尺、２段。以下ポールという。）で支えることによって角盆型取付板に取り付けられた天幕が下方に垂れ下がる状態を簡易迅速にセットできることを特徴とする葬祭用ポータブル天幕。
【考案の詳細な説明】
【技術分野】
【０００１】本考案は、２枚の角盆型取付板と伸縮自在の支えポールを利用した葬祭用の天幕の飾りに関する。
【背景技術】
【０００２】葬祭会場での飾付けに天幕を利用して固定する場合、一枚一枚の幕を釘や画鋲を使って天井に取り付けるため、時間と労力がかかった。また撤去時には天井裏に刺し傷が残ってしまう状態である。
【考案の開示】
【考案が解決しようとする課題】
【０００３】一枚一枚の幕を釘や画鋲を使って会場に取り付ける場合、時間と労働の負担がある。
同時に、会場の天井裏に画鋲等の刺し傷がつく。【０００４】また会場での設置時間が限られ短時間に飾り付けを行わなければならないことが多いが、釘や画鋲以外の固定方法では不十分であり困難であることから、一枚一枚の天幕を釘や画鋲であらかじめ角盆型取付板に取り付けし固定することによって簡易迅速な移動と設置、撤去が容易に行え前述の欠点を解決しようとするものである。
【課題を解決するための手段】
【０００５】本考案は会場の大きさを想定し、天幕取付用の角盆型取付板２枚を用意し、蝶番を両方の板の一片に取り付け、板の表面に天幕を固定することによって、開閉自在で簡易なポータブル式の天幕装飾品になる。
設置する際は、２枚の取付板を左右に開き、角盆型取付板の縦方向に取り付けたコ型金具に閂を差し込んで固定し、天幕が下方へ垂れ下がる下向きの状態をつくりながら、伸縮自在の支えポールで天幕板を支えることによって容易に設置と撤去ができ、問題点が解決される。【０００６】ポールは概ね後方６本、前方４本の合計１０本で板の四隅を支え、会場の高さと広さ及び視界のバランスを考慮して高さの調節を行い、しかもポール上部にあるフックに蛍光灯を吊して会場の照度調節ができる。
【考案の効果】
【０００７】上述のように、本考案のポータブル式葬祭用天幕は、持ち運び可能な開閉自在の機能を持ち、会場の広さ、大きさ、形状、明るさを考慮した簡易迅速な設置ができる祭壇装飾用品として役立つ。
【考案を実施するための最良の形態】
【０００８】以下、本考案の実施形態を図１〜図２に基づいて説明する。【０００９】図１〜図２において、１はベニア合板等、軽量な素材で作られた盆型天幕取付板、２は１の板を繋ぐ蝶番、３は両方の板が開いた状態を固定する支え閂、４は支え閂を囲うコ型金具で、１の取付板の表面に、５の天幕を画鋲や釘で押さえ、盆型天幕取付板を天幕が下方に垂れ下がる下向きの状態にしながら、３の支え閂で開いた状態を保持する。【００１０】１の天幕取付板を地面から約２メートル上方へ設置固定するために、６のフック付きポールを立てて伸ばす。天幕板の大きさと設置場所地面の強度を考慮し、ポールの数を増減させる。【００１１】６のポールには伸縮性の調節機能と６ａのフック機能があり、会場の高低の調節と６ａのフックに７蛍光灯を吊り下げての照度調節を行い、昼夜に合わせた会場設置を行う。
【図面の簡単な説明】
【００１２】
【図１】本考案の設置取付時の正面図
【図２】本考案のポータブル天幕の実施取付例に示す開板時の正面図
【符号の説明】
【００１３】１．　　取り付け板
２．　　蝶番
３．　　支え閂
４．　　コ型金具
５．　　天幕
６．　　ポール
６ａ．　ポールフック
７．　　蛍光灯
【図１】
0003100596.tif 000003
【図２】
0003100596.tif 000004
(57)【要約】　　　（修正有）【解決手段】芳香剤または消臭剤などの揮散性液剤を収容し上部に開口部を持つ容器３と、揮散性液剤の吸い上げ芯体２と、該吸い上げ芯体に当接する畜香揮散体とを具備する揮散装置において、成形した苔１を畜香揮散体とし、容器の一部または全体を覆うように着脱可能に装着したことを特徴とする液体芳香・消臭剤の揮散装置。【効果】観賞用植物の中で根強い人気のある苔を蓄香揮散体として用いているため、揮散装置が鑑賞用植物のような外観を呈し、日本古来の落ち着きのある風情を演出し、装飾性に優れ、視覚的、感覚的に見る者、嗅ぐ者に心理的な安堵感、落ち着き感を与えることができる。したがって、畜香揮散体の外側を、装飾部で覆う必要が無く、部品点数の少ない揮散装置を提供することができる。【選択図】図３
0003100599.tif 000002
【実用新案登録請求の範囲】
【請求項１】
芳香剤または消臭剤などの揮散性液剤を収容し上部に開口部を持つ容器と、揮散性液剤の吸い上げ芯体と、該吸い上げ芯体に当接する蓄香揮散体とを具備する揮散装置において、成形した苔を蓄香揮散体とし、容器の一部または全体を覆うように着脱可能に装着したことを特徴とする液体芳香・消臭剤の揮散装置。
【請求項２】
蓄香揮散体および容器を保持する器を有する請求項１記載の液体芳香・消臭剤の揮散装置。
【考案の詳細な説明】
【技術分野】
【０００１】
本考案は液体芳香剤や液体消臭剤等の揮散性薬剤を、容器内に挿嵌した吸い上げ芯体を介して毛細管現象によって吸い上げ、該芯体の上部に接して設置する蓄香揮散体に含浸拡散させて、その効能成分を発散させるように構成した揮散装置における蓄香揮散体の設置構成および材質に関する。
【背景技術】
【０００２】
従来の液体芳香・消臭剤の揮散装置における蓄香揮散体には紙、フェルト、不織布、陶器などが用いられており、視覚的美観を与えるために蓄香揮散体の外側を、樹脂、ポプリ等の装飾部で覆うことが行われてきた。（特許文献１）
【特許文献１】実開平７−４３３３６公報
【考案の開示】
【考案が解決しようとする課題】
【０００３】
従来の液体芳香・消臭剤の揮散装置の形状は機能的ではあるが、あたたか味に欠けるものであったため、やすらぎ、落ち着き感などの感覚的満足感を視覚的に与えるために蓄香揮散体の外側を、装飾部で覆う必要があり、部品点数が増えると共にコストも高くなるという問題があった。そこで過剰な装飾部で覆うことなく視覚的、感覚的に安堵感、落ち着き感を与えることができる部品点数の少ない揮散装置が求められていた。
【課題を解決するための手段】
【０００４】
本考案は蓄香揮散体に成型した苔を用いることを特徴とし、好ましくは該苔が球状に成形されたことを特徴とする。
【考案の効果】
【０００５】
本考案は観賞用植物の中で根強い人気のある苔を蓄香揮散体として用いているため、揮散装置が鑑賞用植物のような外観を呈し、日本古来の落ち着きのある風情を演出し、装飾性に優れ、視覚的、感覚的に見る者、嗅ぐ者に心理的な安堵感、落ち着き感を与えることができる。
【考案を実施するための最良の形態】
【０００６】
以下、本考案の構成を図１から３に示す実施の形態に即して説明する。
【実施例１】
【０００７】
図１示の如く、この考案にかかる液体芳香・消臭剤の揮散装置は芳香液・消臭液４の貯留容器３と芯体２と苔１とを備えている。貯留容器３は、ガラス、プラスチック、金属などからなり、芳香液・消臭液４が貯留され、上部に開口部を有している。芯体２は、ポリエチレン、ポリプロピレン、ポリエステル、レーヨンなどからなり、芳香液・消臭液中に浸漬されている。貯留容器３の一部が苔１におおわれており、芯体２は苔１と空洞内部で接触している。
【実施例２】
【０００８】
図２示の如く、この考案にかかる液体芳香・消臭剤の揮散装置は実施例１の体芳香・消臭剤の揮散装置の貯留容器３の一部が苔１におおわれている構造部分を、貯留容器３全体が苔１にすっぽりおおわれている構造になっている。
【実施例３】
【０００９】
図３示の如く、この考案にかかる液体芳香・消臭剤の揮散装置は実施例１および実施例２の芳香液・消臭液揮散装置が飾り石５を敷いた器６の上に設置されている。
【００１０】
上記構成において使用する苔として、ミズゴケ、スギゴケ、ホソバオキナゴケ、スナゴケ、コツボゴケ、ハイゴケ、タチゴケ、コスギゴケ、ゼニゴケ、ヒノキゴケ、シノブゴケ、コウヤノマンネングサ、タマゴケ、ギンゴケ、アラハシラガゴケ、シッポゴケ、ハマキゴケ、クラマゴケなどが挙げられるが、特に限定されるものではない。また、苔は湿った状態でも乾燥した状態でも使用できるが、香り立ちの面から乾燥した状態のものが好ましい。
【００１１】
さらに苔の形態は特に問わないが、芳香剤・消臭剤剤形の保形性や自立性を考慮すると、苔を立体的に成型したものが好ましい。三角錐、立方体、球状、または、犬、熊等の動物を模した形態も好適である。特に球状の形態は、機能的にも成型の容易さにおいて、もっとも好ましい。
【００１２】
上記構成において、液体芳香・消臭剤の販売時には芳香液・消臭液を貯留した容器３は中栓がされ、芯体２、苔１それぞればらばらにされた状態で販売される。使用時には、中栓を取り外して芯体２を挿入し苔１を容器３にかぶせることにより、芯体２を苔１に接触させ使用する。
【００１３】
そうすると、芳香液・消臭液４は芯体２を毛細管現象で通り、苔１へと浸透して行き、芳香を発する。しかも、蓄香揮散体に苔１を用いているために視覚的にも安堵感、落ち着き感を与えることができ、ゆったりとした気持ちで香りを楽しむことができる。
【００１４】
さらに、蓄香揮散体に苔１を用いているため、外側を装飾部で覆う必要がないためその分揮散装置の素材が省略でき、材料費の低減が図れ、安価な揮散装置を提供することができる。
【００１５】
さらに本考案の揮散装置を飾り石を敷いた器の上に設置することにより、箱庭的風情を演出し、見る者、嗅ぐ者により心理的な安堵感、落ち着き感を与えることができるばかりか、蓄香揮散体が保持できない芳香液・消臭液があった場合、液滴を受け止めることができ、周囲を汚すことが防止できる。
【産業上の利用可能性】
【００１６】
苔を蓄香揮散体として用いているため、過剰な装飾部で揮散装置を覆う必要が無く、簡便な構造で、装飾性に優れ、視覚的、感覚的に見る者、嗅ぐ者に心理的な安堵感、落ち着き感を与えることができる。
【図面の簡単な説明】
【００１７】
【図１】本願考案の実施方法を示した縦断正面図（実施例１）
【図２】本願考案の実施方法を示した縦断正面図（実施例２）
【図３】本願考案の実施方法を示した縦断正面図（実施例３）
【符号の説明】
【００１８】
１　苔（苔玉）
２　芯体
３　芳香液・消臭液貯留容器
４　芳香液・消臭液
５　飾り石
６　器
【図１】
0003100599.tif 000003
【図２】
0003100599.tif 000004
【図３】
0003100599.tif 000005
(57)【要約】　　　（修正有）【課題】４本イカリ針同様針刺しの死角を無くし、針刺し角度の安定化と仕掛け針の軽量化、糸絡み・玉網絡みの軽減化を図ることが出きる友釣り用鮎掛け針を提供する。【解決手段】針のチモトに針先と直角にＴ字形のガイド１を付けた友釣り用鮎掛け針である。【選択図】図３
0003100597.tif 000002
【実用新案登録請求の範囲】
【請求項１】
針のチモトに針先と直角にＴ字形のガイドを付けたことを特徴とする友釣り用鮎掛け針である。
【考案の詳細な説明】
【技術分野】
【０００１】本考案は友釣り用鮎掛け針に関するものである。
【背景技術】
【０００２】十字形をした４本イカリ針は針刺さしに死角が無い仕掛け針であるが、針刺し角度が少し不安定なこと、使用針本数が多く針が重くなることや糸絡み・玉網絡みを外すのに手惑うなどがある。
【考案の開示】
【考案が解決しようとする課題】
【０００３】本考案は４本イカリ針同様、針刺しの死角が無く仕掛け針の本数が少なくなることで仕掛け針の軽量化や糸絡み・玉網絡みの軽減化を図ることが出きる友釣り用鮎掛け針を提供せんとするものである。
【課題を解決しようとする手段】
【０００４】針のチモトに針先と直角にＴ字形のガイドを付けた友釣り用鮎掛け針である。
【考案の効果】
【０００５】Ｔ字形ガイドが野鮎の魚体に触れると魚体と平行となり、ガイドと直角に付いた針先が鮎の体に刺さる。
【考案を実施するための最良の形態】
【０００６】逆Ｌ字形のガイドを付けた針を二本使用し針軸を背中合わせにして仕掛け作ることでＴ字形のガイド付きの２本イカリ針ができる。
【実施例】
【０００７】図１は正面図、図２は側面図、図３は斜視図である。
図１に示す様に針のチモト部分に針先と直角にガイドを付ける。
図３に示す様にハリスを中央にして図１の針本体を背中合わせにし根巻き糸で結ぶ。
【図面の簡単な説明】
【０００８】
【図１】　本考案に係る針の正面図である。
【図２】　本考案に係る針の測面図である。
【図３】　本考案に係る針を結んだ斜視図である。
【符号の説明】
【０００９】　１　ガイド
　２　針本体
　３　根巻き糸
　４　ハリス
【図１】
0003100597.tif 000003
【図２】
0003100597.tif 000004
【図３】
0003100597.tif 000005
(57)【要約】
【課題】　飲料容器缶の缶蓋周縁の溝に内容物を溜めない構造にすることによって、内容物を清潔に飲用することができる飲料容器缶の飲み口を提供する。
【解決手段】　飲料容器缶の缶蓋開口部正面の周縁凸部を開口部の横幅とほぼ同幅で、かつ缶蓋にほぼ水平の深さに切り取って飲み口とする。
【選択図】　図１
0003100591.tif 000002
【実用新案登録請求の範囲】
【請求項１】
缶蓋開口部正面の周縁凸部を開口部の横幅とほぼ同幅で、かつ缶蓋にほぼ水平の深さに切り取った飲み口が設けられていることを特徴とする飲料容器缶の飲み口。
【請求項２】
前記飲み口から前記開口部までの缶蓋面に誘導溝を設けることを特徴とする請求項１に記載の飲料容器缶の飲み口。
【考案の詳細な説明】
【技術分野】
【０００１】
　本考案は、内容物を清潔に飲用することができる飲料容器缶の飲み口に関する。
【背景技術】
【０００２】
　飲料容器缶の缶蓋周縁には溝が形成されている。飲料容器缶の内容物をコップ等に注ぐ、あるいは飲料容器缶に直接口をつけて飲用する場合、この溝に内容物が溜まることが多い。再び飲用する時、この溝に溜まった内容物が飲料容器缶から新たに注がれた内容物に混入する。通常、缶蓋周縁の溝は衛生上の保護がされていなため、運搬や保管等の過程で塵埃が付着している可能性がある。この塵埃が溝に溜まった内容物に混入し、さらに飲料容器缶から注がれた内容物に混入して、結果的に人が飲用することになり、衛生的ではない。
【０００３】
　また、飲用中あるいは飲用後に、溝に溜まった内容物が乾燥して付着することがある。これも上記と同様の理由から衛生的ではなく、また外観上も好ましくない。
【考案の開示】
【考案が解決しようとする課題】
【０００４】
　上記のような現状に鑑み、本考案は、飲料容器缶の缶蓋周縁の溝に内容物を溜めない構造にすることによって、内容物を清潔に飲用することができる飲料容器缶の飲み口を提供することを目的とする。
【課題を解決するための手段】
【０００５】
　請求項１に係る飲料容器缶の飲み口においては、缶蓋開口部正面の周縁凸部を開口部の横幅とほぼ同幅で、かつ缶蓋にほぼ水平の深さに切り取った飲み口が設けられていることを特徴とする。
【０００６】
　請求項２に係る飲料容器缶の飲み口においては、缶蓋開口部正面の周縁凸部を開口部の横幅とほぼ同幅に切り取った飲み口が設けられ、該飲み口から該開口部までの缶蓋面に誘導溝が設けられていることを特徴とする。
【考案の効果】
【０００７】
　以上の通り、本考案による飲料容器缶の飲み口においては、缶蓋周縁の溝に内容物が溜まらず、内容物を清潔に飲用することができる。
【考案を実施するための最良の形態】
【０００８】
　以下、図面を参照して本考案の実施の形態について説明する。
　図１は、本考案による飲料容器缶を示す正面斜視図である。図１に示す飲料容器缶１の缶蓋周縁凸部２に、開口部３の正面において飲み口部４を設ける。
【０００９】
　尚、ここでは図示されていないが、飲み口部４の深さは缶蓋面に水平であることを原則とする。しかしながら、飲料容器缶によっては缶蓋周縁の溝の深さまで下げてもよい。
【００１０】
　図２は、図１に示した飲料容器缶１の飲み口部４の形状を示した正面図である。飲み口部４の形状は、飲用時の便宜から、切片を上に向けた半円形が好適である。しかしながら、缶蓋周縁の溝に内容物を溜めずかつ飲みやすい形状であれば、半円形に限らない。飲み口部４の幅は、飲用時に内容物が口からこぼれずかつ口に入りやすい幅として、前記開口部の横幅とほぼ同じくすることが望ましい。また、製造時の問題であるが、飲み口部４の切り取り後は、缶蓋周縁凹部（特にその周縁端部）に角が形成され、飲用時や取り扱い時に口や手などが傷つく恐れがあるため、やや丸みを帯びた形状にすることが望ましい。
【００１１】
　図３は、図１に示した飲料容器缶の飲み口部４と開口部３の間に誘導溝５を設けた第２実施例を示す図である。誘導溝５の形状は、飲み口部４とほぼ同幅で、深さは１ミリメートル前後でよい。これにより、飲用直後などに内容物が缶蓋に残った場合、飲料容器缶１の中に誘導され、さらに確実に缶蓋周縁の溝に溜まることを防止する。
【図面の簡単な説明】
【００１２】
【図１】本考案による飲み口を持つ飲用容器缶の概略斜視図である。
【図２】図１の飲用容器缶の飲み口の形状を示す概略正面図である。
【図３】本考案に係る第２実施例を示した概略斜視図である。
【符号の説明】
【００１３】
　１　飲料容器缶
　２　缶蓋周縁凸部
　３　開口部
　４　飲み口部
　５　缶蓋
　６　誘導溝
【図１】
0003100591.tif 000003
【図２】
0003100591.tif 000004
【図３】
0003100591.tif 000005
(57)【要約】
【課題】　看者に新趣向感覚を印象付けることが可能な鯉のぼりを提供する。
【解決手段】
　住宅のベランダ等に取付けられるアルミ製等のポールと、このポールに懸吊されるナイロン布地および／または、ポリエステル布地により縫製される鯉のぼり本体と吹流し本体と、から成り、前記鯉のぼり本体の胴部に表現されるうろこ模様部の一部に、プロ野球球団チームのマスコットキャラクターを表現すると共に、前記吹流し本体の長手方向にプロ野球球団チームのマークを麦現し、このマークに並列してプロ野球球団名を表現してなることを特徴とし、鯉のぼり本体の胴部に表現されるプロ野球球団チームのマスコットキャラクター及び吹流し本体に表現されるプロ野球球団チームのマーク、プロ野球球団名は、手描き、印刷、ワッペンまたは、シール等のの貼着により表現されることを特徴とする。
【選択図】　図１
0003100595.tif 000002
【実用新案登録請求の範囲】
【請求項１】
　住宅のベランダ等に取付けられるアルミ製等のポールと、このポールに懸吊されるナイロン布地および／または、ポリエステル布地により縫製される鯉のぼり本体と吹流し本体と、から成り、前記鯉のぼり本体の胴部に表現されるうろこ模様部の一部に、プロ野球球団チームのマスコットキャラクターを表現すると共に、前記吹流し本体の長手方向にプロ野球球団チームのマークを表現し、このマークに並列してプロ野球球団名を表現してなることを特徴とする鯉のぼりセット。
【請求項２】
　鯉のぼり本体の胴部に表現されるプロ野球球団チームのマスコットキャラクター及び吹流し本体に表現されるプロ野球球団チームのマーク、及びプロ野球球団名は、手描き、印刷、ワッペンまたはシール等の貼着により表現されることを特徴とする請求項１記載の鯉のぼりセット。
【考案の詳細な説明】
【考案の詳細な説明】
【技術分野】
【０００１】　本考案は、主として、住宅のベランダ等に掲揚される鯉のぼりセットに関するものである。
【背景技術】
【０００２】　従来、鯉のぼり本体の胴部には、紋入れと称して、家紋等を表現したものが知られている。
【考案が解決しようとする課題】
【０００３】　しかし、斯る紋入れ鯉のぼりでは、家紋を表示することが目的であって、そのため、看者に見飽きた印象を与えるという難点がある。
　また、最近では、鯉のぼりの胴体部に鶴亀や金太郎などの図柄をプリントすることが試みられているが、新趣向性を望む消費者には仲々、受入れ離い嫌いがある。
【課題を解決するための手段】
【０００４】　本考案は、多種、多様化した消費者のニーズに対応すべく創造された鯉のぼりセットに関し、詳しくは、本考案は、住宅のベランダ等に取付けられるアルミ製等のポールと、このポールに懸吊されるナイロン布地および／または、ポリエステル布地により縫製される鯉のぼり本体及び吹流し本体と、から成り、前記鯉のぼり本体の胴部に表現されるうろこ模様部の一部に、プロ野球球団チームのマスコットキャラクターを表現すると共に、前記吹流し本体の長手方向にプロ野球球団チー厶のマークを表現し、このマークに並列してプロ野球球団名を表現してなることを特徴とする。（請求項１）
【０００５】　また、本考案における、鯉のぼり本体の胴部に表現されるプロ野球球団チームのマスコットキャラクター及び吹流し本体に表現されるプロ野球球団チームのマーク、プロ野球球団名は、手描き、印刷、ワッペンまたは、シール等の貼着により表現されることを特徴とする。（請求項２）
【考案を実施するための最良の形態】
【０００６】　本考案に係る鯉のぼりセットの実施形態を図１に基づき説明する。【０００７】　図面符号１は鯉のぼり本体、２は吹流し本体を示し、この鯉のぼり本体１及び吹流し本体２は、ナイロン布地および／または、ポリエステル布地により縫製される。【０００８】　前記鯉のぼり本体１の胴部３には、うろこ模様部４が表現され、このうろこ模様部４の一部には、プロ野球球団チームのマスコットキャラクター５が手描き、印刷、ワッペンまたは、シール等の貼着により表現される。【０００９】　前記吹流し本体２の長手方向には、手描き、印刷、ワッペンまたは、シール等の貼着によりプロ野球球団チームのマーク６が表現され、このマーク６に並列して、プロ野球球団名７が表現される。【００１０】　図面符号８は鯉のぼり本体１と、吹流し本体２を懸吊するアルミ製ポールを示し、この鯉のぼり本体１と吹流し本体２を懸吊したポール８は、住宅のベランダ等に取付けられ掲揚される。【００１１】　尚、本出願人会社は、鯉のぼり本体１に表現されるプロ野球球団チームのマスコットキャラクター５として、阪神タイガースのマスコットキャラクター（虎の図柄）を使用している。
　また、吹流し本体２に表現されるプロ野球球団チームのマーク６として、阪神タイガースの『虎』マークを使用している。
　また、吹流し本体２に表現されるプロ野球球団名７として、『ＨＡＮＳＨＩＮＴｉｇｅｒｓ』の英文字を使用している。尚、本出願人会社は、これらの使用にあたっては、阪神タイガース球団から使用許諾を受けている。
【考案の効果】
【００１２】　本考案に係る鯉のぼりセットは、上記のように構成されたから、看者に新趣向感覚の鯉のぼりセットを印象付け、提供することができる。
　すなわち、本考案は、鯉のぼり本体にプロ野球球団のマスコットキャラクターを表現し、吹流しにプロ野球球団のシンボルマーク、球団名を表現したから、鯉のぼり本体と、吹流しを通してプロ野球ファンに興味を抱かせることができると共に、鯉のぼりの購買意欲向上を図ることができるという効果がある。
　このように本考案に係る鯉のぼりセットは、多種、多様化している消費者のニーズに適応した鯉のぼりセットとして有益である。
【図面の簡単な説明】
【図１】　図１は、鯉のぼりセットの構成図を示す。
【符号の説明】
　１　　鯉のぼり本体
　２　　吹流し本体
　３　　胴部
　４　　うろこ模様部
　５　　プロ野球球団チームのマスコットキャラクター
　６　　プロ野球球団チームのマーク
　７　　プロ野球球団名
　８　　ポール
【図１】
0003100595.tif 000003